(57)【要約】【課題】昨今、文具は多様化しているが、代わり映えしなく、マンネリ化しており、更に、キャラクターを備えた文具も多数販売されているが、一つの文具に一つ又は複数のキャラクターを設けられていた。【解決手段】本発明は、片側文具本体１Ａと他側文具本体１Ｂとを合着手段２を介して合着させると共に外装をキャラクター化した文具において、基端に開口させた基端開口部３と、先端に開口させた先端開口部４と、基端開口部の近傍に立設した基端側リブ５と、基端側リブの対峙する面に刻設した凹溝６と、先端開口部の近傍に立設した先端側リブ７と、先端側リブと基端側リブとの間に立設した中央リブ８とを備え、先端開口部及び／又は基端開口部から文具機能部を突出させると共に、基端側リブと凹溝と中央リブと先端側リブとの何れか乃至全部を利して異種文具を内装させる。【選択図】図３
2004142397.tif 000002
【特許請求の範囲】
【請求項１】
長手方向に２分割された片側文具本体と他側文具本体とを合着手段を介して合着させると共に外装をキャラクター化した文具において、片側文具本体と他側文具本体との基端に開口させた合着させて円形状に成る基端開口部と、片側文具本体と他側文具本体との先端に開口させた合着させて円形状に成る先端開口部と、片側文具本体と他側文具本体との基端開口部の近傍の内側の左右に夫々立設した基端側リブと、該夫々の基端側リブの対峙する面に刻設した夫々の凹溝と、前記先端開口部の近傍の内側の左右に夫々立設した先端側リブと、該先端側リブと基端側リブとの間の左右に立設した中央リブとを備え、前記先端開口部及び／又は前記基端開口部から文具機能部を突出させると共に、前記基端側リブと前記凹溝と前記中央リブと前記先端側リブとの何れか乃至全部を利して前記片側文具本体と前記他側文具本体とに異種文具を内装させることを特徴とする同一キャラクター異種文具。
【発明の詳細な説明】
【０００１】
【産業上の利用分野】
本発明は、同一のキャラクターを外装に備えた異種文具に関するものであり、更に詳細には、同一のキャラクターを文具の外装に施すと共に内部構造も同一にして、内装する文具を交換するだけで異種の文具と成る生産性を向上させると共に人目を引く同一キャラクター異種文具に関するものである。
【０００２】
【従来技術】
従来から、キャラクターを各種の文具の外装に形成したものは既に多数が開発され市販されており、更に、異種の文具を備えて且つキャラクターを備えたものも開示されているが、ボールペンとスタンプとを備え、且つ、キャップにキャラクターを形成しているものであった。（特許文献１参照）
【０００３】
【特許文献１】
特開平８−１８７３６５号公報（図２）
【０００４】
【解決しようとする課題】
然し乍ら、昨今文具は多様化しており、夫々工夫を凝らしたシャープペン、ポールペン、フエルトペン、マーカーペン、スタンプ等の文具が商店等には陳列されているが、あまり代わり映えしなく、マンネリ化しており、更に、キャラクターを一部に備えた文具も多数販売されているが、一つの文具に一つ又は複数のキャラクターを設けられているものであった。
【０００５】
【課題を解決するための手段】
本発明は、前述の課題に鑑み、鋭意研鑽の結果、片側文具本体と他側文具本体とを合着手段を介して合着させると共に外装をキャラクター化した文具において、片側文具本体と他側文具本体との基端に開口させた基端開口部と、片側文具本体と他側文具本体との先端に開口させた先端開口部と、片側文具本体と他側文具本体との基端開口部の近傍に立設した基端側リブと、基端側リブの対峙する面に刻設した凹溝と、先端開口部の近傍に立設した先端側リブと、先端側リブと基端側リブとの間に立設した中央リブとを備え、先端開口部及び／又は前記基端開口部から文具機能部を突出させると共に、基端側リブと凹溝と中央リブと先端側リブとの何れか乃至全部を利して片側文具本体と他側文具本体とに異種文具を内装させるものである。
【０００６】
【発明の作用】
本発明の同一キャラクター異種文具は、外装をキャラクター化した片側文具本体と他側文具本体とを合着手段を介して合着させる文具において、文具の基端開口部及び／又は先端開口部から文具機能を突出させると共に、基端側リブと凹溝と先端側リブと中央リブとを利して、片側文具本体と他側文具本体とにノック式シャープペン機構又はノック式ボールペン機構又はフエルトペン機構又はマーカーペン機構又はボールペン機構又はスタンプ機構を内装させたものであって、文具の外装に同一キャラクターを備えると共に内部構造も同一構造にすることによって内装する文具を交換するだけで外装が同じ異種の文具と成るものである。
【０００７】
従って、本発明の目的は、外装は同一キャラクターで複数の異種文具を提供できるもので、つまり、一つのキャラクターを備えた外装でシャープペン、ボールペン、フエルトペン、マーカーペン、スタンプ等の異種文具を提供するものである。
【０００８】
【発明の実施の形態】
以下、本発明の同一キャラクター異種文具の実施の形態の図面によって具体的に説明する。
【０００９】
図１は本発明の同一キャラクター異種文具の実施の形態のブタのキャラクターの側面図であり、図２は本発明の同一キャラクター異種文具の実施の形態のブタのキャラクターの平面図であり、図３は本発明の同一キャラクター異種文具の実施の形態のブタのキャラクターにノック式シャーブペン機構を組み込んだ説明図であり、図４は本発明の同一キャラクター異種文具の実施の形態のブタのキャラクターにフェルトペン機構を組み込んだ説明図であり、図５は本発明の同一キャラクター異種文具の実施の形態のブタのキャラクターにスタンプ機構を組み込んだ説明図であり、図６は本発明の同一キャラクター異種文具の実施の形態のイヌのキャラクターの側面図であり、図７は本発明の同一キャラクター異種文具の実施の形態のイヌのキャラクターの正面図であり、図８は本発明の同一キャラクター異種文具の実施の形態のイヌのキャラクターにノック式シャープペン機構を組み込んだ説明図であり、図９は本発明の同一キャラクター異種文具の実施の形態のイヌのキャラクターにフェルトペン機構を組み込んだ説明図であり、図１０は本発明の同一キャラクター異種文具の実施の形態のイヌのキャラクターにスタンプ機構を組み込んだ説明図である。
【００１０】
本発明は、同一のキャラクターを外装に備えた異種の文具に関するものであり、更に詳細には、同一のキャラクターを文具本体の外装に施して、内装する文具を交換するだけで異種の文具と成る生産性を向上させると共に人目を引く同一キャラクター異種文具に関するものであり、長手方向に２分割された片側文具本体１Ａと他側文具本体１Ｂとを合着手段２を介して合着させると共に外装をキャラクター化した文具において、片側文具本体１Ａと他側文具本体１Ｂとの基端に開口させた合着させて円形状に成る基端開口部３と、片側文具本体１Ａと他側文具本体１Ｂとの先端に開口させた合着させて円形状に成る先端開口部４と、片側文具本体１Ａと他側文具本体１Ｂとの基端開口部３の近傍の内側の左右に夫々立設した基端側リブ５と、該夫々の基端側リブ５の対峙する面に刻設した夫々の凹溝６と、前記先端開口部４の近傍の内側の左右に夫々立設した先端側リブ７と、該先端側リブ７と基端側リブ５との間の左右に立設した中央リブ８とを備え、前記先端開口部４及び／又は前記基端開口部３から文具機能部を突出させると共に、前記基端側リブ５と前記凹溝６と前記中央リブ７と前記先端側リブ８との何れか乃至全部を利して前記片側文具本体１Ａと前記他側文具本体１Ｂとに異種文具を内装させるものである。
【００１１】
即ち、本発明の同一キャラクター異種文具の文具本体の外装は、図１乃至図２又は図６乃至図７に図示する如く、ブタ又はイヌのキャラクターとしているものであるが、キャラクターなら特に限定するものでなく、ウサギやクマ、ネコ等の動物、女の子、男の子等の象形デザインが考慮されるものであるが、長手方向が明快に理解できるものが好適なものである。
【００１２】
そして、文具本体は片側文具本体１Ａと他側文具本体１Ｂと長手方向に２分割されるものであり、後述する合着手段２を介して合着させているものである。
【００１３】
次に、合着手段２は図３乃至図５又は図８乃至図１０に図示する如く、片側文具本体１Ａ又は他側文具本体１Ｂの何れかに円筒状リブを立設して、該円筒状リブと合致する位置の片側文具本体１Ａ又は他側文具本体１Ｂの何れかに前記円筒状リブと嵌合する円筒状リブ又は円柱状リブを立設させているものであり、合着手段２は係着させても接着剤によって貼着させても構わないものであり、実施の形態では４組の合着手段２を設けているものである。
【００１４】
次いで、基端開口部３は片側文具本体１Ａと他側文具本体１Ｂとの基端に開口させたもので、片側文具本体１Ａと他側文具本体１Ｂとに夫々半円形状に形成しており、片側文具本体１Ａと他側文具本体１Ｂとを合着させることによって円形状に成るものである。
【００１５】
更に、先端開口部４は片側文具本体１Ａと他側文具本体１Ｂとの先端に開口させたもので、片側文具本体１Ａと他側文具本体１Ｂとを合着させることによって円形状に成るもので、前記基端開口部３より若干小径に形成しているものである。
【００１６】
更に、基端側リブ５は前記基端開口部３の近傍の内側の左右の片側文具本体１Ａと他側文具本体１Ｂとに夫々立設しており、中央辺、つまり、夫々の基端側リブ５の間には後述する文具が内装されるスペースを設けているものである。
【００１７】
更には、凹溝６は夫々の基端側リブ５の対峙する面に刻設しているもので、つまり、一対の凹溝６は向かい合って刻設させているものである。
【００１８】
そして、先端側リブ７は前記先端開口部４の近傍の内側の左右の片側文具本体１Ａと他側文具本体１Ｂとに夫々立設しており、右側と左側との夫々の基端側リブ５の間には後述する文具が内装されるスペースを設けているものである。
【００１９】
次に、中央リブ８は先端側リブ７と基端側リブ５との間の左右の片側文具本体１Ａと他側文具本１Ｂとに夫々立設しており、右側と左側との夫々の基端側リブ５の間には後述する文具が内装されるスペースを設けているものである。
【００２０】
そして、異種文具とはノック式シャープペン機構９、ノック式ボールペン機構、フエルトペン機構１０、マーカーペン機構、ポールペン機構、スタンプ機構１１等のことであり、文具機能部とは文具本体から突出して機能する部分であり、例えば、ノック式シャープペン機構９等の筆記部９ｂ又はノック操作部９ｃ、フエルトペン機構１０の筆記部１０ｃ、スタンプ機構１１のスタンプ部１１ｃ等のことである。
【００２１】
次に、文具機能部である筆記部９ｂ、１０ｃ又はノック操作部９ｃ、スタンプ部１１ｃとを先端開口部４及び基端開口部３から突出させるものであり、異種文具であるノック式シャープペン機構９、ノック式ボールペン機構、フエルトペン機構１０、マーカーペン機構、ポールペン機構、スタンプ機構１１を片側文具本体１Ａと他側文具本体１Ｂとに形成した基端側リブ５と凹溝６と中央リブ７と先端側リブ８との何れか乃至全部を利して内装させているものである。
【００２２】
次いで、本発明の実施の形態の異種文具であるノック式シャープペン機構９について詳述すると、本体筒部９ａと筆記部９ｂとノック操作部９ｃとを備えた周知のものであり、先端側リブ７と中央リブ８とに本体筒部９ａを係合させるもので、該本体筒部９ａの先端には筆記部９ｂを備え、該筆記部９ｂは先端開口部４から突出させているもので、本体筒部９ａの内部にはコイルスプリング等のノック機構と筆記のための芯を備え、基端側には操作のための操作杆を備え、操作杆の基端にはノック操作部９ｃを嵌着させて、ノック操作部９ｃを基端開口部３から突出させているものであり、ノック操作部９ｃを操作することで筆記部９ｂから芯が出没するものであり、同様な機構を有するものとしてノック式ボールペン機構も内装可能なものである。
【００２３】
更に、次実施の形態では、片側文具本体１Ａと他側文具本体１Ｂとは前述と同じものを使用するものであり、内装する異種文具はフエルトペン機構１０を内装するものである。
【００２４】
つまり、片側文具本体１Ａと他側文具本体１Ｂとに内装するフエルトペン機構１０は本体筒部１０ａと鍔部１０ｂと筆記部１０ｃとキャップ１０ｄとを備えた周知のもので、鍔部１０ｂは円筒状の本体筒部１０ａの胴周に膨出させて夫々の先端側リブ７に対峙させた夫々の凹溝６に嵌入させ、本体筒部１０ａは先端を円錐状に形成して閉じると共に先端開口部４に先端を係合させており、本体筒部１０ａの基端には筆記部１０ｃを備え、筆記部１０ｃの先端は基端開口部３から突出させ、筆記部１０ｃの基端側にはキャップ１０ｄを嵌着させているものであり、キャップ１０ｄを外し筆記部１０ｃから突出しているフエルトで筆記するものであり、同様な機構を有するものとしてマーカーペン機構又はポールペン機構も内装可能なものである。
【００２５】
更には、他の実施の形態では前述と同じ片側文具本体１Ａと他側文具本体１Ｂとにスタンプ機構１１を内装するもので、スタンプ機構１１は本体筒部１１ａと鍔部１１ｂとスタンプ部１１ｃとキャップ１１ｄから成る周知のものである。
【００２６】
つまり、本体筒部１１ａは後述するスタンプ部１１ｃの支持台となる筒状のもので、本体筒部１１ａの胴周には鍔部１１ｂを膨出させており、鍔部１１ｂは夫々の先端側リブ７に対峙させた夫々の凹溝６に嵌入させるもので、スタンプ部１１ｃは本体筒部１１ａの基端側に延設すると共に基端開口部３から突出させており、更に、キャップ１１ｄはスタンプ部１１ｃを覆うように嵌着させているものであり、キャップ１１ｄを取り外すことでスタンプができるものである。
【００２７】
【発明の効果】
本発明の同一キャラクター異種文具は、前述の構成により、外装をキャラクター化した片側文具本体と他側文具本体とを合着させた文具において、文具の基端開口部と先端開口部と基端側リブと凹溝と先端側リブと中央リブとを利して、ノック式シャープペン機構又はノック式ボールペン機構又はフエルトペン機構又はマーカーペン機構又はボールペン機構又はスタンプ機構を内装させたものであって、文具の外装に同一キャラクターを備えると共に内部構造も同一構造にすることによって内装する文具を交換するだけで外装が同じ異種の文具と成るものであり、画期的で人目を引くものとなり、且つ、実用性の高い発明である。
【図面の簡単な説明】
【図１】図１は本発明の同一キャラクター異種文具の実施の形態のブタのキャラクターの側面図である。
【図２】図２は本発明の同一キャラクター異種文具の実施の形態のブタのキャラクターの平面図である。
【図３】図３は本発明の同一キャラクター異種文具の実施の形態のブタのキャラクターにノック式シャープペン機構を組み込んだ説明図である。
【図４】図４は本発明の同一キャラクター異種文具の実施の形態のブタのキャラクターにフェルトペン機構を組み込んだ説明図である。
【図５】図５は本発明の同一キャラクター異種文具の実施の形態のブタのキャラクターにスタンプ機構を組み込んだ説明図である。
【図６】図６は本発明の同一キャラクター異種文具の実施の形態のイヌのキャラクターの側面図である。
【図７】図７は本発明の同一キャラクター異種文具の実施の形態のイヌのキャラクターの正面図である。
【図８】図８は本発明の同一キャラクター異種文具の実施の形態のイヌのキャラクターにノック式シャープペン機構を組み込んだ説明図である。
【図９】図９は本発明の同一キャラクター異種文具の実施の形態のイヌのキャラクターにフェルトペン機構を組み込んだ説明図である。
【図１０】図１０は本発明の同一キャラクター異種文具の実施の形態のイヌのキャラクターにスタンプ機構を組み込んだ説明図である。
【符号の説明】
１Ａ　　片側文具本体
１Ｂ　　他側文具本体
２　　　合着手段
３　　　基端開口部
４　　　先端開口部
５　　　基端側リブ
６　　　凹溝
７　　　先端側リブ
８　　　中央リブ
９　　　ノック式シャープペン機構
９ａ　　本体筒部
９ｂ　　筆記部
９ｃ　　ノック操作部
１０　　フエルトペン機構
１０ａ　本体筒部
１０ｂ　鍔部
１０ｃ　筆記部
１０ｄ　キャップ
１１　　スタンプ機構
１１ａ　本体筒部
１１ｂ　鍔部
１１ｃ　スタンプ部
１１ｄ　キャップ
【図１】
2004142397.tif 000003
【図２】
2004142397.tif 000004
【図３】
2004142397.tif 000005
【図４】
2004142397.tif 000006
【図５】
2004142397.tif 000007
【図６】
2004142397.tif 000008
【図７】
2004142397.tif 000009
【図８】
2004142397.tif 000010
【図９】
2004142397.tif 000011
【図１０】
2004142397.tif 000012